(57)【要約】  本開示の実施形態では、マルチＴＲＰコードブックに基づく通信に用いられる方法、デバイス及びコンピュータ可読媒体が提供される。通信に用いられる方法によれば、端末機器は、端末機器と通信する複数のネットワーク機器に関する下りリンクチャネル条件を測定する。端末機器は、下りリンクチャネル条件に基づき、コードブックの中からプリコーディングマトリックスを選択する。コードブックの列における要素は、複数のネットワーク機器用のそれぞれのビームセットを表し、プリコーディングマトリックスは、複数のネットワーク機器用のそれぞれのビームを示す。端末機器は、複数のネットワーク機器のうち少なくとも１つのネットワーク機器に、プリコーディングマトリックスのインデックスを送信する。本開示の実施形態により、提案するマルチＴＲＰコードブックに基づくマルチＴＲＰ  ＰＭＩフィードバックが可能になる。【選択図】図２
2021536155.tif 000002
【特許請求の範囲】
【請求項１】
端末機器と通信する複数のネットワーク機器に関する下りリンクチャネル条件を測定することと、
前記下りリンクチャネル条件に基づき、コードブックの中からプリコーディングマトリックスを選択することと、
前記複数のネットワーク機器のうち少なくとも１つのネットワーク機器に、前記プリコーディングマトリックスのインデックスを送信することと
を備え、
前記コードブックの列における要素は、前記複数のネットワーク機器用のそれぞれのビームセットを表し、
前記プリコーディングマトリックスは、前記複数のネットワーク機器用のそれぞれのビームを示す、通信に用いられる方法。
【請求項２】
前記プリコーディングマトリックスの前記インデックスを送信することは、
前記複数のネットワーク機器のうちの第１ネットワーク機器用の第１ビームインデックスを送信することと、
前記第１ビームインデックスと、前記複数のネットワーク機器のうちの第２ネットワーク機器用の第２ビームインデックスとのオフセットを送信することと
を備える、請求項１に記載の方法。
【請求項３】
前記プリコーディングマトリックスの前記インデックスを送信することは、
ビームグループのグループインデックスを送信することと、
前記複数のネットワーク機器用の前記ビームグループのビームインデックスを送信することと
を備える、請求項１に記載の方法。
【請求項４】
前記コードブックの前記列における前記要素は、
参照ビームセットを表す第１要素と、
電力パラメータを備える第２要素と
を備え、
前記電力パラメータは、それぞれのビームセットに用いられる電力と、前記参照ビームセットに用いられる電力との比を表す、請求項１に記載の方法。
【請求項５】
前記コードブックの前記列における前記要素のうちの少なくとも１つの要素は、制御パラメータを備え、
前記制御パラメータは、前記複数のネットワーク機器のうちのそれぞれのネットワーク機器をイネーブル又はディセーブルにするために用いられる、請求項１に記載の方法。
【請求項６】
前記プリコーディングマトリックスを選択することは、
前記複数のネットワーク機器用の前記それぞれのビームセットのうちの第１ビームセットから第１ビームサブセットを排除することと、
前記複数のネットワーク機器用の前記それぞれのビームセットのうちの第２ビームセットから第２ビームサブセットを排除することと
を備える、請求項１に記載の方法。
【請求項７】
前記プリコーディングマトリックスを選択することは、
前記複数のネットワーク機器用のそれぞれのビームの所定のビームコンビネーションを排除することを備える、請求項１に記載の方法。
【請求項８】
前記プリコーディングマトリックスを選択することは、
前記複数のネットワーク機器のうちの第１ネットワーク機器用の第１ビームインデックスを排除することと、
前記第１ビームインデックス及びオフセットに基づき、前記複数のネットワーク機器のうちの第２ネットワーク機器用の第２ビームインデックスを排除することと
を備え、
前記オフセットは、前記第１ビームインデックスと、前記第２ビームインデックスとのオフセットである、請求項１に記載の方法。
【請求項９】
前記プリコーディングマトリックスを選択することは、
前記複数のネットワーク機器のうちのネットワーク機器用のビームグループを決定することと、
前記ビームグループのうちの複数のビームを組み合わせて、前記ネットワーク機器用の組合せビームを形成することと
を備える、請求項１に記載の方法。
【請求項１０】
プロセッサと、
指令を記憶するメモリと
を備える端末機器であって、
前記メモリ及び前記指令は、前記プロセッサと共に、前記端末機器に、
端末機器と通信する複数のネットワーク機器に関する下りリンクチャネル条件を測定させ、
前記下りリンクチャネル条件に基づき、コードブックの中からプリコーディングマトリックスを選択させ、
前記複数のネットワーク機器のうち少なくとも１つのネットワーク機器に、前記プリコーディングマトリックスのインデックスを送信させるように設定され、
前記コードブックの列における要素は、前記複数のネットワーク機器用のそれぞれのビームセットを表し、
前記プリコーディングマトリックスは、前記複数のネットワーク機器用のそれぞれのビームを示す、端末機器。
【請求項１１】
前記メモリ及び前記指令はさらに、前記プロセッサと共に、前記端末機器に、
前記複数のネットワーク機器のうちの第１ネットワーク機器用の第１ビームインデックスを送信させ、
前記第１ビームインデックスと、前記複数のネットワーク機器のうちの第２ネットワーク機器用の第２ビームインデックスとのオフセットを送信させるように設定される、請求項１０に記載の端末機器。
【請求項１２】
前記メモリ及び前記指令はさらに、前記プロセッサと共に、前記端末機器に、
ビームグループのグループインデックスを送信させ、
前記複数のネットワーク機器用の前記ビームグループのビームインデックスを送信させるように設定される、請求項１０に記載の端末機器。
【請求項１３】
前記コードブックの前記列における前記要素は、
参照ビームセットを表す第１要素と、
電力パラメータを備える第２要素と
を備え、
前記電力パラメータは、それぞれのビームセットに用いられる電力と、前記参照ビームセットに用いられる電力との比を表す、請求項１０に記載の端末機器。
【請求項１４】
前記コードブックの前記列における前記要素のうちの少なくとも１つの要素は、制御パラメータを備え、
前記制御パラメータは、前記複数のネットワーク機器のうちのそれぞれのネットワーク機器をイネーブル又はディセーブルにするために用いられる、請求項１０に記載の端末機器。
【請求項１５】
前記メモリ及び前記指令はさらに、前記プロセッサと共に、前記端末機器に、
前記複数のネットワーク機器用の前記それぞれのビームセットのうちの第１ビームセットから第１ビームサブセットを排除させ、
前記複数のネットワーク機器用の前記それぞれのビームセットのうちの第２ビームセットから第２ビームサブセットを排除させるように設定される、請求項１０に記載の端末機器。
【請求項１６】
前記メモリ及び前記指令はさらに、前記プロセッサと共に、前記端末機器に、
前記複数のネットワーク機器用のそれぞれのビームの所定のビームコンビネーションを排除させるように設定される、請求項１０に記載の端末機器。
【請求項１７】
前記メモリ及び前記指令はさらに、前記プロセッサと共に、前記端末機器に、
前記複数のネットワーク機器のうちの第１ネットワーク機器用の第１ビームインデックスを排除させ、
前記第１ビームインデックス及びオフセットに基づき、前記複数のネットワーク機器のうちの第２ネットワーク機器用の第２ビームインデックスを排除させるように設定され、
前記オフセットは、前記第１ビームインデックスと、前記第２ビームインデックスとのオフセットである、請求項１０に記載の端末機器。
【請求項１８】
前記メモリ及び前記指令はさらに、前記プロセッサと共に、前記端末機器に、
前記複数のネットワーク機器のうちのネットワーク機器用のビームグループを決定させ、
前記ビームグループのうちの複数のビームを組み合わせて、前記ネットワーク機器用の組合せビームを形成させるように設定される、請求項１０に記載の端末機器。
【請求項１９】
デバイスの少なくとも１つのプロセッサで実行された場合、前記デバイスに、請求項１〜９のいずれか１項に記載の方法を実行させる指令が記憶された、コンピュータ可読媒体。
【発明の詳細な説明】
【技術分野】
【０００１】
本開示の実施形態は全体として無線通信に関し、特に、マルチＴＲＰコードブックに基づく通信に用いられる方法、デバイス及びコンピュータ可読媒体に関する。
【背景技術】
【０００２】
３ＧＰＰ規格の最新の発展は、Ｅｖｏｌｖｅｄ  Ｐａｃｋｅｔ  Ｃｏｒｅ（ＥＰＣ）ネットワーク及びＥｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）のＬｏｎｇ  Ｔｅｒｍ  Ｅｖｏｌｕｔｉｏｎ（ＬＴＥ）と称され、一般には「４Ｇ」とも称される。また、「５Ｇ  Ｎｅｗ  Ｒａｄｉｏ（ＮＲ）」という用語は、さまざまなアプリ及びサービスをサポートすることが期待される進化し続ける通信技術を指す。５Ｇ  ＮＲは、遅延、信頼性、セキュリティ、スケーラビリティ（例えばモノのインターネットＩｏＴ）に関連する新たな要件及びその他の要件を満たすために、第三世代パートナーシッププロジェクト（３ＧＰＰ）によって発表された継続的なモバイルブロードバンドの進化の一部である。５Ｇ  ＮＲのいくつかの側面は、４Ｇ  Ｌｏｎｇ  Ｔｅｒｍ  Ｅｖｏｌｕｔｉｏｎ  （ＬＴＥ）規格に基づくことが可能である。
【０００３】
ＮＲシステムの研究については最近承認された。ＮＲは、１００ＧＨｚまでの周波数帯域を考慮するもので、その目標は、すでに定義されている全ての使用シナリオ、要求及び開発シナリオを解決する１つの技術的枠組みを作り上げることである。この技術的枠組みには、拡張モバイルブロードバンド、大規模マシンタイプ通信及び超高信頼・低遅延通信が含まれる。Ｎｅｗ  Ｒａｄｉｏアクセスのマルチアンテナの計画については、すでに議論が開始されており、その内容はマルチアンテナ計画、ビーム管理、チャネル状態情報（ＣＳＩ）取得、並びに参照信号及び疑似コロケーション（ＱＣＬ）を含む。このほか、ＮＲでは単一ＴＲＰ送信及びマルチＴＲＰ送信について合意されている。しかしながら、マルチＴＲＰ／パネルによる送信は現在の研究では優先度が下げられたため、将来の開発において討論されることになる。
【発明の概要】
【発明が解決しようとする課題】
【０００４】
全体として、本開示の例示的実施形態では、マルチＴＲＰコードブックに基づく通信に用いられる方法、デバイス及びコンピュータ可読媒体が提供される。
【課題を解決するための手段】
【０００５】
第１の態様において、通信に用いられる方法が提供される。該方法は、端末機器と通信する複数のネットワーク機器に関する下りリンクチャネル条件を測定することを含む。該方法はさらに、下りリンクチャネル条件に基づきコードブックの中からプリコーディングマトリックスを選択することを含む。コードブックの列における要素は、複数のネットワーク機器用のそれぞれのビームセットを表し、プリコーディングマトリックスは、複数のネットワーク機器用のそれぞれのビームを示す。該方法はさらに、複数のネットワーク機器のうち少なくとも１つのネットワーク機器に、プリコーディングマトリックスのインデックスを送信することを含む。
【０００６】
第２の態様において、端末機器が提供される。該端末機器は、プロセッサと、指令を記憶するメモリとを含む。メモリ及び指令は、プロセッサと共に、端末機器に、端末機器と通信する複数のネットワーク機器に関する下りリンクチャネル条件を測定させるように設定される。メモリ及び指令はさらに、プロセッサと共に、端末機器に、下りリンクチャネル条件に基づき、コードブックの中からプリコーディングマトリックスを選択させるように設定される。コードブックの列における要素は、複数のネットワーク機器用のそれぞれのビームセットを表し、プリコーディングマトリックスは、複数のネットワーク機器用のそれぞれのビームを示す。メモリ及び指令はさらに、プロセッサと共に、端末機器に、複数のネットワーク機器のうち少なくとも１つのネットワーク機器に、プリコーディングマトリックスのインデックスを送信させるように設定される。
【０００７】
第３の態様において、指令が記憶されたコンピュータ可読媒体が提供される。これらの指令は、デバイスの少なくとも１つのプロセッサで実行された場合、デバイスに、第１の態様に基づく方法を実行させる。
【０００８】
発明の概要での記述は、本開示の実施形態の重要又は必要な特徴を示すことを意図したものではなく、本開示の範囲を限定することも意図しないことは理解されるはずである。本開示のその他の特徴は、以下の説明により容易に理解できるはずである。
【図面の簡単な説明】
【０００９】
以下、図面における本開示のいくつかの実施形態をさらに詳細に説明し、本開示の上述の及びその他の目的、特徴、利点を、さらに明らかにする。
【００１０】
【図１】本開示の実施形態が実現可能な通信環境のブロック図である。
【００１１】
【図２】本開示のいくつかの実施形態にかかる例示的方法のフローチャートである。
【００１２】
【図３】本開示の実施形態を実現するのに適したデバイスの概略ブロック図である。
【００１３】
図中、同一又は類似の参照符号は、同一又は類似の要素を表す。
【発明を実施するための形態】
【００１４】
以下、いくつかの例示的実施形態を参照して、本開示の原理を説明する。理解されるように、これらの実施形態は、単に説明を目的として記述され、当業者が本開示を理解し実現する際の助けとなるものであり、本開示の範囲に対する何らかの限定を示すものではない。本明細書で説明する開示内容は、以下に説明する方法以外に、さまざまな方法で実現可能である。
【００１５】
以下の説明及び請求項において、別に定義がある場合を除き、文中で使用される全ての技術・科学用語は、本開示の属する分野の当業者が通常理解するものと、同じ意味を有する。
【００１６】
本明細書で使用されているように、用語「送信／受信ポイント」は通常、ユーザ端末と通信する局を指すことができる。しかしながら送信／受信ポイントは、例えば基地局（ＢＳ）、セル、ノードＢ、進化型Ｎｏｄｅ  Ｂ（ｅＮＢ）、次世代ＮｏｄｅＢ（ｇＮＢ）、送受信ポイント（ＴＲＰ）、セクタ、サイト、Ｂａｓｅ  Ｔｒａｎｓｃｅｉｖｅｒ  Ｓｙｓｔｅｍ（ＢＴＳ）、アクセスポイント（ＡＰ）、中継ノード（ＲＮ）、リモート無線ヘッド（ＲＲＨ）、無線ユニット（ＲＵ）、アンテナ等の異なる用語で称することができる。
【００１７】
すなわち、本開示の文脈では、送信／受信ポイント、基地局（ＢＳ）又はセルは、包括的概念であると解釈することができ、符号分割多元接続（ＣＤＭＡ）におけるｂａｓｅ  ｓｔａｔｉｏｎ  ｃｏｎｔｒｏｌｌｅｒ（ＢＳＣ）、ＷＣＤＭＡにおけるノードＢ、ＬＴＥにおけるｅＮＢ又はセクタ（サイト）、ＮＲにおけるｇＮＢ又はＴＲＰ等によってカバーされるエリア又は機能の一部を示す。したがって、送信／受信ポイント、基地局（ＢＳ）及び／又はセルの概念は、各種カバーエリア、例えばメガセル、マクロセル、ミクロセル、ピコセル、フェムトセル等を含むことができる。また、このような概念は中継ノード（ＲＮ）、リモート無線ヘッド（ＲＲＨ）又は無線ユニット（ＲＵ）の通信範囲を含むことができる。
【００１８】
本開示の文脈において、ユーザ端末及び送信／受信ポイントは、包括的な意味を有する２つの送信／受信主体であってよく、本明細書に開示された科学技術及び技術的概念を体現するためのものであり、特定の用語又は語句に限定されなくてよい。また、ユーザ端末及び送信／受信ポイントは、包括的な意味を有する上りリンク又は下りリンクの送信／受信主体であってよく、本実施形態に関して開示された科学技術及び技術的概念を体現するためのものであり、特定の用語又は語句に限定されなくてよい。本明細書において、上りリンク（ＵＬ）送信／受信は、データをユーザ端末から基地局に送信するスキームである。反対に、下りリンク（ＤＬ）送信／受信は、データを基地局からユーザ端末に送信するスキームである。
【００１９】
文中で使用される場合、文脈の中で他に明記していない限り、単数形式である「１つ」、「１種」及び「該」は、複数形式を含むことを意味する。用語「含む」及びその変形は、「…を含むが、これらに限定されない」という意味の、開放式の用語であると解釈される。用語「…に基づいて」は、「少なくとも部分的に基づく」と解釈される。用語「１つの実施形態」及び「１種の実施形態」は、「少なくとも１つの実施形態」と解釈される。用語「別の実施形態」は、「少なくとも１つの別の実施形態」と解釈される。用語「第１」、「第２」等は、異なるか又は同一の対象を示すことができる。以下の文中では、明示又は暗示のその他の定義も含むことができる。
【００２０】
いくつかの例示において、値、プロセス又は装置は、「最適」、「最低」、「最高」、「最小」、「最大」等と称される。理解されるように、こうした説明は、使用される複数の機能の代替物の中から、選択可能であると示すことを意図しており、こうした選択は、他の選択と比べて、より優れていたり、より小さかったり、より高かったり、又は他の態様ではより好ましかったりする必要はない。
【００２１】
図１は、本開示の実施形態が実現可能な通信環境１００のブロック図である。通信環境１００には、２つのネットワーク機器１１０、１２０と、端末機器１３０が存在する端末機器１３０は無線通信リンクを介して、ネットワーク機器１１０、１２０のうち一方又は両方と通信を行うことができる。ネットワーク機器の数及び端末機器の数は、説明用にすぎず、何らかの限定を示すものではないことは理解されるはずである。通信環境１００は、本開示の実施形態の実現に適した任意の適切な数のネットワーク機器及び端末機器を含むことができる。
【００２２】
例えば、文中で使用される用語「ネットワーク機器」又は「基地局」（ＢＳ）とは、端末機器が通信可能なセル又はカバレッジを、提供又は管理可能なデバイスを指す。ネットワーク機器の例には、ノードＢ（ＮｏｄｅＢ又はＮＢ）、進化型ＮｏｄｅＢ（ｅＮｏｄｅＢ又はｅＮＢ）、次世代ＮｏｄｅＢ（ｇＮＢ）、送信／受信ポイント（ＴＲＰ）、リモートラジオユニット（ＲＲＵ）、無線ヘッド（ＲＨ）、リモート無線ヘッド（ＲＲＨ）、低電力ノード（例えばフェムトノード、ピコノード）等が含まれるが、これらに限定されない。
【００２３】
文中で使用される用語「端末機器」は、無線又は有線での通信能力を有する全てのデバイスを指す。端末機器の例として、ユーザ端末（ＵＥ）、パーソナルコンピュータ、デスクトップコンピュータ、移動電話、携帯電話、スマートフォン、携帯情報端末（ＰＤＡ）、携帯コンピュータ、画像取込デバイス（例えばデジタルカメラ）、ゲーム機器、音楽保存再生装置、又は無線若しくは有線によるインターネットへのアクセス・閲覧をイネーブルにするインターネットデバイス等が含まれるが、これらに限定されない。議論を目的として、以下の文では、参考用にＵＥを端末機器の例示として、いくつかの実施形態を説明する。また、用語「端末機器」及び「ユーザ端末」（ＵＥ）は、本開示の文脈では互換的に使用することができる。
【００２４】
通信環境１００における通信は、任意の適切な規格に適合させることができる。ここで任意の適切な規格には、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｅｘｔｅｎｄｅｄ  Ｃｏｖｅｒａｇｅ  Ｇｌｏｂａｌ  Ｓｙｓｔｅｍ  ｆｏｒ  Ｍｏｂｉｌｅ  Ｉｎｔｅｒｎｅｔ  ｏｆ  Ｔｈｉｎｇｓ（ＥＣ−ＧＳＭ−ＩｏＴ）、Ｌｏｎｇ  Ｔｅｒｍ  Ｅｖｏｌｕｔｉｏｎ（ＬＴＥ）、ＬＴＥ  Ｅｖｏｌｕｔｉｏｎ、ＬＴＥ−Ａｄｖａｎｃｅｄ（ＬＴＥ−Ａ）、広帯域符号分割多元接続（ＷＣＤＭＡ）、符号分割多元接続（ＣＤＭＡ）、ＧＳＭ  ＥＤＧＥ無線アクセスネットワーク（ＧＥＲＡＮ）等が含まれるが、これらに限定されない。また、現時点で既知の、又は将来開発される任意の世代の通信プロトコルに基づき、通信を実行することができる。通信プロトコルの例として、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルが含まれるが、これらに限定されない。
【００２５】
上述したように、端末機器１３０は、フォワードリンク及びリバースリンク上の送信を介して、ネットワーク機器１１０、１２０の一方又は両方と通信することができる。本明細書で使用されるフォワードリンク（又は下りリンク）は、アクセスネットワークから端末までの通信リンクを指し、リバースリンク（又は上りリンク）は端末からアクセスネットワークまでの通信リンクを指す。これらの通信リンクは、ｓｉｎｇｌｅ−ｉｎ−ｓｉｎｇｌｅ−ｏｕｔ、ｍｕｌｔｉｐｌｅ−ｉｎ−ｓｉｇｎａｌ−ｏｕｔ又はｍｕｌｔｉｐｌｅ−ｉｎ−ｍｕｌｔｉｐｌｅ−ｏｕｔ（ＭＩＭＯ）システムを介して確立することができる。
【００２６】
ＭＩＭＯシステムは、複数の送信アンテナ及び複数の受信アンテナをデータ送信に用いる。送信アンテナ及び受信アンテナにより形成されるＭＩＭＯチャネルは、複数の独立チャネルに分解することが可能で、それらは空間チャネルとも称される。こうした独立チャネルにおける各チャネルは、空間次元に対応する。複数の送信アンテナ及び受信アンテナによって作られる付加的次元が利用されると、ＭＩＭＯシステムは改良された性能（例えば、より高いピークレート及び／又はカバレッジ）を提供することが可能となる。
【００２７】
すでにセルラシステムで使用されているＭＩＭＯ技術の一つは、閉ループ送信プリコーディングである。通信環境１００では、ネットワーク機器１１０、１２０及び端末機器１３０が閉ループ送信プリコーディングをサポートしていると仮定する。ネットワーク機器１１０、１２０は、それぞれのビームを切り替えて条件変更に適応することができる。条件変更は端末機器１３０の移動又はセル内の環境条件の変化によって引き起こされる。
【００２８】
例えば、ネットワーク機器１１０はその４つのビーム１１２、１１４、１１６及び１１８のうちの１つ又は複数のビームを用いて、端末機器１３０と通信することができる。同様に、ネットワーク機器１２０はその４つのビーム１２２、１２４、１２６及び１２８のうちの１つ又は複数のビームを用いて、端末機器１３０と通信することができる。このプロセスはビームフォーミングとも称することができる。ネットワーク機器１１０、１２０のビームの特定の数は、説明用にすぎず、何らかの限定を表すものではないことは理解されるはずである。他の実施形態において、ネットワーク機器１１０、１２０は、同じ又は異なる任意の数のビームを有することができる。
【００２９】
ネットワーク機器１１０を例に挙げると、ビームフォーミングを実行する際、ネットワーク機器１１０でチャネル状態情報（ＣＳＩ）が取得され、これは、データが変調されてネットワーク機器１１０のアンテナから送信される前に、データについてプリコーディングを行うために用いられる。ネットワーク機器１１０はその指定されたアンテナポートから（複数の）下りリンク（ＤＬ）参照信号を送信する。これらの参照信号は、端末機器１３０によりＣＳＩを算出するために用いられる。その後ＣＳＩはエンコードされ、ＵＬ制御チャネルを用いて、又はＵＬデータチャネル上で多重化されて、ネットワーク機器１１０にフィードバックされる。ネットワーク機器１１０において、受信されたフィードバックＣＳＩ情報はデコードされ、プリコーディング情報を算出するために用いられる。該プリコーディング情報はその後、ＤＬデータチャネルでのアンテナポートからの送信の前に、ＤＬデータチャネルに適用される。
【００３０】
コードブックに基づく暗黙のフィードバックスキームでは、端末機器１３０及びネットワーク機器１１０は通常、共通又は共有のコードブックを使用する。端末機器１３０は、理想的には、すべての可能性のあるランク上で共有コードブックを検索し、各ランクについて、関連するプリコーディングマトリックスを検索する。該関連するプリコーディングマトリックスは、参照信号の測定に基づきチャネルを最適に表すか、又は最大の受信信号を示す。その後、端末機器１３０は、選択したランクをランク指標（ＲＩ）としてフィードバックし、選択したランクのコードブック内の、選択したプリコーディングマトリックスのインデックスをフィードバックする。このインデックスはプリコーディングマトリックスインデックス（ＰＭＩ）と称される。
【００３１】
ネットワーク機器１１０において、ＲＩ及びＰＭＩは、共有コードブックからプリコーディングマトリックスを選択するために用いられる。ネットワーク機器１１０はその後、ＣＱＩ及び取得したＰＭＩを用いて、場合によっては他のフィードバック情報（例えば、ＨＡＲＱ）及び他の測定とも併せて、次のＤＬデータの送信に用いられる送信プリコーディングを決定する。図１の例示的シナリオでは、各送信ビーム１１２〜１１８は、異なるプリコーディングマトリックスに対応すると仮定する。
【００３２】
５Ｇ無線通信において、大規模ＭＩＭＯは鍵となる実現技術の１つである。多数のアンテナ部品は、スループットを向上させるための自由度を大幅に高めるとともに、カバレッジ改良のためのビームフォーミングのゲインを著しく増加させる。実践において、コスト削減及び節電のために、多数のアンテナ部品は複数のアンテナパネルに組み込むことができる。現在、３ＧＰＰ仕様では、ネットワーク機器の異なるパネルに用いられる同一ビームを表すためのコードブックが定義されており、該コードブックの列は以下のとおり記述することができる。
2021536155.tif 000003
ここで量ｖｌ，ｍはビームセットに関するベクトルであり、パラメータコンビネーション（ｌ，ｍ）はビームのインデックスとみなすことができ、量φn0、ap1、ap2、bn1、bn2は、ビームセットの制御に用いられるパラメータである。コードブックのさらなる詳細については、３ＧＰＰバージョン１５の仕様において見出すことができる。
【００３３】
通常のコードブックの該列では、上部の２つの要素ｖｌ，ｍ及びφnoｖｌ，ｍはネットワーク機器の１つのパネルを表し、下部の２つの要素ap1bn1ｖｌ，ｍ及びap2bn2ｖｌ，ｍはネットワーク機器の別のパネルを表す。これは、ネットワーク機器の２つのパネルが同一ビーム（ｌ，ｍ）を使用することを意味する。その理由は、同一ネットワーク機器の２つのパネルは、地理的位置が同一であるため、２つのパネルからの、同一端末機器との通信に用いられる最適なビームは、同一であるからである。
【００３４】
しかしながら、図１に示すように、端末機器１３０が２つのネットワーク機器１１０、１２０と通信可能な通信シナリオでは、異なるＴＲＰにおける異なるパネル／アンテナ群のビームは、通常同じではない。例えば、ネットワーク機器１１０では、ビーム１１６が端末機器１３０との通信に用いられる最適ビームであり、一方ネットワーク機器１２０では、ビーム１２４が端末機器１３０との通信に用いられる最適ビームである。すなわち、異なるネットワーク機器１１０、１２０にとって、端末機器１３０との通信に用いられる最適ビームは同じではない。このような状況では、従来のコードブックは、端末機器１３０が、異なるネットワーク機器１１０、１２０にフィードバックするのに適していない可能性がある。
【００３５】
言い換えると、通常のコードブックの設計は、単一ＴＲＰ／パネルだけに用いられるものであり、マルチＴＲＰ送信については、ＰＭＩフィードバックがコードブックに基づく場合、現在の３ＧＰＰ仕様ではマルチＴＲＰをサポートするのに十分ではない。本開示の実施形態では、単一ビームに基づく配置及びマルチビームに基づく配置の両方の初期アクセスについて、共通のフレームワークを設計するための方法及び装置を提供する。特に、マルチＴＲＰをサポートするために新たなコードブックの設計を提案しており、さらに、異なるＴＲＰ／パネルには異なるビームインデックスが用いられる。この他、新たなコードブックの設計は、単一ＴＲＰ及びマルチＴＲＰについての動的フィードバックをサポートするために提案される。本開示の実施形態により、マルチＴＲＰ  ＰＭＩのフィードバックは、提案するマルチＴＲＰコードブックに基づくことができる。以下、図２を参照しつつ、提案するマルチＴＲＰコードブック、及び、提案するマルチＴＲＰコードブックに基づく通信に用いられる方法について、詳細に説明を行う。
【００３６】
図２は、本開示のいくつかの実施形態にかかる例示的方法２００のフローチャートを示す。方法２００は、図１に示す端末機器１３０において実現することができる。理解されるように、方法２００は、図示されていない付加的ブロック、及び／又は図示を省略可能ないくつかのブロックを含むことができ、この点において、本開示の範囲は限定を受けない。
【００３７】
議論を目的として、図１を参照して端末機器１３０の側から方法２００を説明する。また、以下の説明は、端末機器１３０が２つのネットワーク機器１１０、１２０と通信するという事実に基づく可能性があるが、本明細書で説明する実施形態は全て、端末機器１３０が３つ以上のネットワーク機器と通信を行う通信シナリオにも適用される。
【００３８】
ブロック２１０において、端末機器１３０は、端末機器１３０と通信する複数のネットワーク機器（例えば、ネットワーク機器１１０、１２０）に関する下りリンクチャネル条件を測定する。いくつかの実施形態において、ネットワーク機器１１０，１２０は、端末機器１３０に共同でサービスを行うとともに互いに通信する２つのｇＮＢであり得る。他の実施形態において、ネットワーク機器１１０、１２０は、同一ｇＮＢの地理的位置が異なる２つのリモートアンテナ（例えば、２つのＴＲＰ）であり得る。ネットワーク機器１１０，１２０の地理的位置が異なっていてよいため、ネットワーク機器１１０、１２０に関する下りリンクチャネル条件も異なる可能性がある。
【００３９】
例示として、測定を実行するために、端末機器１３０はネットワーク機器１１０、１２０から送信される下りリンク参照信号を検出することができる。その後、下りリンク参照信号の検出（例えば信号の受信品質）から、ネットワーク機器１１０、１２０に関する下りリンクチャネル条件を決定することができる。本開示の実施形態は、下りリンク参照信号の使用に限定されることはなく、ネットワーク機器１１０、１２０に関する下りリンクチャネル条件を測定するために、他の適切な方法も採用可能であることは理解されるはずである。
【００４０】
ブロック２２０において、端末機器１３０は下りリンクチャネル条件に基づき、コードブックの中からプリコーディングマトリックスを選択する。上述したように、提案するマルチＴＲＰコードブックは、端末機器１３０と通信する複数のネットワーク機器（例えばネットワーク機器１１０、１２０）についてのビーム情報を含むことができる。この目的のために、提案するマルチＴＲＰコードブックの列における要素は、複数のネットワーク機器（例えばネットワーク機器１１０、１２０）用のそれぞれのビームセットを表す。また、該コードブックの設計により、提案するマルチＴＲＰコードブックの中から選択されるプリコーディングマトリックスは、複数のネットワーク機器（例えばネットワーク機器１１０、１２０）用のそれぞれのビームを示す。
【００４１】
いくつかの実施形態では、端末機器に、異なるシナリオに用いられる異なるパラメータを設定することができる。例えば、端末機器に、単一ＴＲＰ／パネル送信又はマルチＴＲＰ／パネル送信に用いられる異なるコードブック又はコードブックタイプを設定することができる。例えば、端末機器は、設定されるコードブック又はコードブックタイプに基づき、異なるコードブックセットの中からランク指標及び／又はプリコーディングマトリックス指標を選択する。
【００４２】
いくつかの実施形態において、マルチＴＲＰ／パネルのコードブックの列は、以下のように記述することができる。
2021536155.tif 000004
又は
2021536155.tif 000005
又は
2021536155.tif 000006
ここで量ｖｌ，ｍは第１ビームセットに関するベクトルであり、量ｖｌ’，ｍ’は第２ビームセットに関するベクトルであり、パラメータコンビネーション（ｌ，ｍ）及び（ｌ’，ｍ’）はそれぞれ、２つの異なるビームのインデックスであるとみなすことができる。例えば、パラメータコンビネーション（ｌ，ｍ）及び（ｌ’，ｍ’）は個別に選択することができる。
【００４３】
いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）及び（ｌ’，ｍ’）の値は両方とも、端末機器からネットワーク機器にレポートされなければならない。例えば、これらの値は、併せてエンコードするか、又は別々にエンコードすることができる。いくつかの実施形態において、単一コードブックについて、コードブックサブセット制限（ＣＢＳＲ：ｃｏｄｅｂｏｏｋ  ｓｕｂｓｅｔ  ｒｅｓｔｒｉｃｔｉｏｎ）の２種類の設定が存在する可能性がある。例えば、１つのＣＢＳＲは（ｌ，ｍ）の制限に用いられ、別のＣＢＳＲは（ｌ’，ｍ’）の制限に用いられる。
【００４４】
いくつかの実施形態において、マルチＴＲＰ／パネルのコードブックの列は、以下のように記述することができる。
2021536155.tif 000007
ここで量ｖｌ，ｍは第１ビームセットに関するベクトルであり、量ｖｌ’，ｍ’は第２ビームセットに関するベクトルであり、量ｖｌ’’，ｍ’’は第３ビームセットに関するベクトルであり、量ｖｌ’’’，ｍ’’’は第４ビームセットに関するベクトルであり、パラメータコンビネーション（ｌ，ｍ）、（ｌ’，ｍ’）、（ｌ’’，ｍ’’）及び（ｌ’’’，ｍ’’’）はそれぞれ、４つの異なるビームのインデックスであるとみなすことができる。例えば、パラメータコンビネーション（ｌ，ｍ）、（ｌ’，ｍ’）、（ｌ’’，ｍ’’）及び（ｌ’’’，ｍ’’’）は個別に選択することができる。
【００４５】
いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）、（ｌ’，ｍ’）、（ｌ’’，ｍ’’）及び（ｌ’’’，ｍ’’’）の全ての値は、端末機器からネットワーク機器にレポートされなければならない。例えば、これらの値は、併せてエンコードするか、又は別々にエンコードすることができる。いくつかの実施形態において、単一コードブックについて、コードブックサブセット制限（ＣＢＳＲ：ｃｏｄｅｂｏｏｋ  ｓｕｂｓｅｔ  ｒｅｓｔｒｉｃｔｉｏｎ）の４種類の設定が存在する可能性がある。例えば、第１のＣＢＳＲは（ｌ，ｍ）の制限に用いられ、第２のＣＢＳＲは（ｌ’，ｍ’）の制限に用いられ、第３のＣＢＳＲは（ｌ’’，ｍ’’）の制限に用いられ、第４のＣＢＳＲは（ｌ’’’，ｍ’’’）の制限に用いられる。
【００４６】
いくつかの実施形態において、量β及び／又はθ及び／又はμは、異なるパネル／ＴＲＰ間の位相差である。いくつかの実施形態において、量β及び／又はθ及び／又はμに用いられる使用可能な値の数は、設定可能である。いくつかの実施形態において、第１設定について、量β及び／又はθ及び／又はμに用いられる使用可能な値の数は、４であり得る。例えば、これらの値はＱＰＳＫ、又は｛１，ｊ，−１，−ｊ｝のうち任意の値であり得る。第２設定について、量β及び／又はθ及び／又はμに用いられる使用可能な値の数は、８であり得る。例えば、これらの値は８ＰＳＫ、又は｛ej*2π*0/8，ej*2π*1/8，ej*2π*2/8，ej*2π*3/8，ej*2π*4/8，ej*2π*5/8，ej*2π*6/8，ej*2π*7/8｝のうち任意の値であり得る。いくつかの実施形態において、第３設定があってよく、量β及び／又はθ及び／又はμに用いられる使用可能な値の数は、２であり得る。例えば、これらの値はＢＰＳＫ、又は｛１，ｊ｝のうち任意の値、又は｛１，−１｝のうち任意の値であり得る。
【００４７】
いくつかの実施形態において、マルチＴＲＰ送信について、異なるＴＲＰから所与の端末機器までの送信用のパネル数は、同一でなければならない。いくつかの実施形態において、マルチＴＲＰ／パネルのコードブックの列について、ｖｌ，ｍを含む量の数は、ｖｌ’，ｍ’を含む量の数と同一である。いくつかの実施形態において、マルチＴＲＰ／パネルのコードブックの列について、ｖｌ，ｍを含む量の数は、ｖｌ’，ｍ’を含む量の数と同一であり、ｖｌ’’，ｍ’’を含む量の数と同一であり、さらにｖｌ’’’，ｍ’’’を含む量の数と同一である。ある１つの実施形態において、マルチＴＲＰのコードブック用のパネル数は、ＴＲＰ毎に１つのみがあり得る。例えば、マルチＴＲＰ／パネルのコードブックの列について、ｖｌ，ｍを含む量の数は２つであり、ｖｌ’，ｍ’を含む量の数は２つである。
【００４８】
いくつかの実施形態では、図１に示す例示的シナリオにおいて、ネットワーク機器１１０、１２０に用いられる提案するマルチＴＲＰコードブックの列は、以下のように記述することができる。
2021536155.tif 000008
ここで量ｖｌ，ｍはネットワーク機器１１０用のビームセットに関するベクトルであり、量ｖｌ’，ｍ’はネットワーク機器１２０用の別のビームセットに関するベクトルであり、パラメータコンビネーション（ｌ，ｍ）及び（ｌ’，ｍ’）はそれぞれ、２つの異なるビームのインデックスであるとみなすことができる。さらに量φn0、ap1、ap2、bn1、bn2は、ビームセット制御に用いられる各種パラメータである。これらの量のさらなる詳細については、バージョン１５の仕様において見出すことができる。
【００４９】
通常のコードブックと異なり、提案するマルチＴＲＰコードブックの列では、上部の２つの要素ｖｌ，ｍ及びφn0ｖｌ，ｍは複数のネットワーク機器のうちの１つのネットワーク機器（例えばネットワーク機器１１０）用のビームセットを表し、下部の２つの要素ap1bn1ｖｌ’，ｍ’及びap2bn2ｖｌ’，ｍ’は、複数のネットワーク機器のうち別のネットワーク機器（例えばネットワーク機器１２０）用の別のビームセットを表す。この方法により、提案するマルチＴＲＰコードブックは、端末機器と通信する複数のネットワーク機器についてのマルチＴＲＰ  ＰＭＩフィードバックを可能にする。
【００５０】
通信環境１００において、異なるネットワーク機器（例えばネットワーク機器１１０、１２０）についてのＣＳＩ−ＲＳリソースに用いられる電力が異なる可能性があり、且つ／又は異なるリンクについての経路損失も異なる可能性がある。また、異なるネットワーク機器におけるパネル数も異なる可能性がある。その場合、異なるネットワーク機器からのＣＳＩ−ＲＳリソース送信用電力が同じであっても、異なるパネルからの送信電力が、異なる可能性がある。例えば、ネットワーク機器１１０は１つのパネル（８つのポート）を有し、ネットワーク機器１２０は２つのパネル（計１６個のポート）を有する。各ネットワーク機器からの１つのパネルのみが送信できる場合、ネットワーク機器１１０からの電力はＰであり、ネットワーク機器１２０からの電力はＰ／２のみであり得る。
【００５１】
いくつかの実施形態では、上述した電力差を考慮するために、異なるネットワーク機器用に電力パラメータを導入することができる。これらの実施形態では、提案するマルチＴＲＰコードブックに異なるビームが含まれ、ビームインデックスレポートは、ワイドバンドであり得る。より具体的には、複数のネットワーク機器に用いられるそれぞれのビームセットの電力を制御するために、提案するマルチＴＲＰコードブックの列における要素は、参照ビームセットを表す第１要素を含むことができる。また、電力パラメータを含む第２要素が存在し得る。該電力パラメータは、それぞれのビームセットに用いられる電力と、参照ビームセットに用いられる電力との比を表す。この方法により、複数のネットワーク機器の間の電力差を減少又は除去することができる。
【００５２】
いくつかの実施形態において、マルチＴＲＰ／パネルのコードブックの列は、以下のように記述することができる。
2021536155.tif 000009
又は
2021536155.tif 000010
又は
2021536155.tif 000011
ここで量ｖｌ，ｍは第１ビームセットに関するベクトルであり、量ｖｌ’，ｍ’は第２ビームセットに関するベクトルであり、パラメータコンビネーション（ｌ，ｍ）及び（ｌ’，ｍ’）はそれぞれ、２つの異なるビームのインデックスであるとみなすことができる。例えば、パラメータコンビネーション（ｌ，ｍ）及び（ｌ’，ｍ’）は個別に選択することができる。
【００５３】
いくつかの実施形態において，量ｃは第２ビームセットについての電力比のためのパラメータである。例えば、Ｃに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）及び（ｌ’，ｍ’）の値は両方とも、端末機器からネットワーク機器にレポートされなければならない。例えば、これらの値は、併せてエンコードするか、又は別々にエンコードすることができる。
【００５４】
いくつかの実施形態において、マルチＴＲＰ／パネルのコードブックの列は、以下のように記述することができる。
2021536155.tif 000012
ここで量ｖｌ，ｍは第１ビームセットに関するベクトルであり、量ｖｌ’，ｍ’は第２ビームセットに関するベクトルであり、量ｖｌ’’，ｍ’’は第３ビームセットに関するベクトルであり、量ｖｌ’’’，ｍ’’’は第４ビームセットに関するベクトルであり、パラメータコンビネーション（ｌ，ｍ）、（ｌ’，ｍ’）、（ｌ’’，ｍ’’）及び（ｌ’’’，ｍ’’’）はそれぞれ、４つの異なるビームのインデックスであるとみなすことができる。例えば、パラメータコンビネーション（ｌ，ｍ）、（ｌ’，ｍ’）、（ｌ’’，ｍ’’）及び（ｌ’’’，ｍ’’’）は個別に選択することができる。
【００５５】
いくつかの実施形態において，量ｃ1、ｃ2、ｃ3はそれぞれ、第２ビームセット、第３ビームセット、第４ビームセットについての電力比のためのパラメータである。例えば、ｃ1、ｃ2、ｃ3のうちいずれか１つに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）、（ｌ’，ｍ’）、（ｌ’’，ｍ’’）及び（ｌ’’’，ｍ’’’）の全ての値は、端末機器からネットワーク機器にレポートされなければならない。例えば、これらの値は、併せてエンコードするか、又は別々にエンコードすることができる。
【００５６】
例えば、該電力パラメータを用いると、ネットワーク機器１１０、１２０に用いられる提案するマルチＴＲＰコードブックの列は、以下のように記述することができる。
2021536155.tif 000013
ここで量ｖｌ，ｍは、ネットワーク機器１１０用のビームセットに関するベクトルであり、量ｖｌ’，ｍ’は、ネットワーク機器１２０用の別のビームセットに関するベクトルであり、パラメータコンビネーション（ｌ，ｍ）及び（ｌ’，ｍ’）はそれぞれ、２つの異なるビームのインデックスであるとみなすことができる。さらに量φn0、ap1、ap2、bn1、bn2は、ビームセット制御に用いられる各種パラメータである。これらの量のさらなる詳細については、バージョン１５の仕様において見出すことができる。
【００５７】
上述した内容と同様に、上部の２つの要素ｖｌ，ｍ及びφn0ｖｌ，ｍはネットワーク機器１１０用のビームセットを表すことができ、下部の２つの要素ｃｑap1bn1ｖｌ’，ｍ’及びｃｑap2bn2ｖｌ’，ｍ’は、ネットワーク機器１２０用の別のビームセットを表すことができる。また、該例示では、ネットワーク機器１２０用の下部の２つの要素に、電力パラメータｃｑが含まれ得る。該電力パラメータｃｑは、ネットワーク機器１２０についてのビームセットに用いられる電力と、ネットワーク機器１１０についてのビームセットに用いられる電力との比を表す。すなわち、ネットワーク機器１１０用のビームセットは、参照ビームセットとして利用することができる。
【００５８】
いくつかの実施形態では、提案するマルチＴＲＰコードブックにより、動的なネットワーク機器の選択をサポートすることができる。また、これらの実施形態では、提案するマルチＴＲＰコードブックに、異なるビームが含まれ、ビームインデックスレポートはワイドバンドであり得る。複数のネットワーク機器についての動的な選択を実現するために、提案するマルチＴＲＰコードブックの列における１つ又は複数の要素は、制御パラメータを含むことができる。該制御パラメータは、複数のネットワーク機器のうちのそれぞれのネットワーク機器をイネーブル又はディセーブルにするために用いられる。この方法により、端末機器１３０は、提案するマルチＴＲＰコードブックによって、望ましいネットワーク機器を容易に選択してそれと通信することができる。
【００５９】
いくつかの実施形態において、マルチＴＲＰ／パネルのコードブックの列は、以下のように記述することができる。
2021536155.tif 000014
又は
2021536155.tif 000015
又は
2021536155.tif 000016
ここで量ｖｌ，ｍは第１ビームセットに関するベクトルであり、量ｖｌ’，ｍ’は第２ビームセットに関するベクトルであり、パラメータコンビネーション（ｌ，ｍ）及び（ｌ’，ｍ’）はそれぞれ、２つの異なるビームのインデックスであるとみなすことができる。例えば、パラメータコンビネーション（ｌ，ｍ）及び（ｌ’，ｍ’）は個別に選択することができる。
【００６０】
いくつかの実施形態において，量ｄは第１ビームセットについての電力指示のためのパラメータである。例えば、ｄに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。いくつかの実施形態において，量ｃは第２ビームセットについての電力比のためのパラメータである。例えば、ｃに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。
【００６１】
いくつかの実施形態において、量ｄに用いられる使用可能な値の数は、量ｃに用いられる使用可能な値の数と異なる。例えば、量ｄに用いられる使用可能な値の数は、量ｃに用いられる値の数より小さくてよい。いくつかの実施形態において、量ｃに用いられる値のうち少なくとも１つの値は、量ｄに用いられる使用可能な値のうちのいずれかの使用可能な値と異なる。いくつかの実施形態において、量ｃに用いられる値の数及び／又は値は、量ｄの異なる値によって決めることができる。
【００６２】
いくつかの実施形態において、ｄに用いられる使用可能な値は、｛０，１｝のうちの少なくとも１つ、又は｛1，(1/2)1/2，(1/4)1/2，0｝のうちの少なくとも１つであり得る。いくつかの実施形態において、量ｄに用いられる値が０である場合、量ｃに用いられる値の数は１のみである。いくつかの実施形態において、量ｄに用いられる値が０である場合、量ｃに用いられる使用可能な値は１である。いくつかの実施形態において、量ｄに用いられる値が０でない場合、例えば量ｄに用いられる値が１である場合、量ｃに用いられる値の数は、１より大きく、例えば２又は４又は８である。いくつかの実施形態において、量ｄに用いられる値が０でない場合、例えば量ｄに用いられる値が１であると、量ｃに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つである。
【００６３】
いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）及び（ｌ’，ｍ’）の値は両方とも、端末機器からネットワーク機器にレポートされなければならない。例えば、これらの値は、併せてエンコードするか、又は別々にエンコードすることができる。
【００６４】
いくつかの実施形態において、第１ビームの電力指標に用いられる量ｄの値及び第２ビームの電力比に用いられる量ｃの値は、端末機器からネットワーク機器にレポートされなければならない。例えば、これらの値は、併せてエンコードするか、又は別々にエンコードすることができる。いくつかの実施形態において、量ｄのレポートに用いられるビットの数は、量ｃのレポートに用いられるビットの数と異なっていてよい。例えば、量ｄのレポートに用いられるビットの数は、量ｃのレポートに用いられるビットの数より小さくてよい。例えば、量ｄのレポートに用いられるビットの数は１であり得る。別の例示では、量ｃのレポートに用いられるビットの数は、２又は３又は４であり得る。
【００６５】
いくつかの実施形態において、量ｃのレポートに用いられるビットの数は、量ｄのレポート値により決めることができる。いくつかの実施形態において、量ｄの異なるレポート値について、量ｃのレポートに用いられるビットの数は異なっていてよい。いくつかの実施形態において、量ｄのレポート値が０であれば、量ｃのレポートは不要である可能性がある。別の実施形態では、量ｄのレポート値が０でない場合、例えば量ｄのレポート値が１であると、量ｃのレポートに用いられるビットの数は、２又は３又は４であり得る。
【００６６】
いくつかの実施形態において、マルチＴＲＰ／パネルのコードブックの列は、以下のように記述することができる。
2021536155.tif 000017
ここで量ｖｌ，ｍは第１ビームセットに関するベクトルであり、量ｖｌ’，ｍ’は第２ビームセットに関するベクトルであり、量ｖｌ’’，ｍ’’は第３ビームセットに関するベクトルであり、量ｖｌ’’’，ｍ’’’は第４ビームセットに関するベクトルであり、パラメータコンビネーション（ｌ，ｍ）、（ｌ’，ｍ’）、（ｌ’’，ｍ’’）及び（ｌ’’’，ｍ’’’）はそれぞれ、４つの異なるビームのインデックスであるとみなすことができる。例えば、パラメータコンビネーション（ｌ，ｍ）、（ｌ’，ｍ’）、（ｌ’’，ｍ’’）及び（ｌ’’’，ｍ’’’）は個別に選択することができる。
【００６７】
いくつかの実施形態において，量ｄは第１ビームセットについての電力指示のためのパラメータである。例えば、ｄに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。いくつかの実施形態において，量ｃ1、ｃ2、ｃ3はそれぞれ、第２ビームセット、第３ビームセット、第４ビームセットについての電力比のためのパラメータである。例えば、ｃ1、ｃ2、ｃ3のうちいずれか１つに用いられる使用可能な値は、｛1，(1/2)1/2，(1/4)1/2，(1/8)1/2，(1/16)1/2，(1/32)1/2，(1/64)1/2，0｝のうちの少なくとも１つ、又は｛1，(1/2)1/2，(1/4)1/2，0｝のうちの少なくとも１つであり得る。
【００６８】
いくつかの実施形態において、量α、β、γ、θ、δ、μ、ωは、ビームセット制御に用いられる各種パラメータであり、例えば、量α、β、γ、θ、δ、μ、ωはビームセット間の位相回転であり得る。いくつかの実施形態において、パラメータコンビネーション（ｌ，ｍ）、（ｌ’，ｍ’）、（ｌ’’，ｍ’’）及び（ｌ’’’，ｍ’’’）の全ての値は、端末機器からネットワーク機器にレポートされなければならない。例えば、これらの値は、併せてエンコードするか、又は別々にエンコードすることができる。
【００６９】
いくつかの実施形態において、量ｄに用いられる使用可能な値の数は、量ｃ1、ｃ2、ｃ3のうちのそれぞれの量に用いられる使用可能な値の数と異なる。例えば、量ｄに用いられる使用可能な値の数は、量ｃ1、ｃ2、ｃ3のうちのそれぞれの量に用いられる値の数より小さくてよい。いくつかの実施形態において、量ｃ1、ｃ2、ｃ3のうちのそれぞれの量に用いられる値のうち少なくとも１つの値は、量ｄに用いられる使用可能な値のうちのいずれかの使用可能な値と異なっていてよい。いくつかの実施形態において、量ｃ1、ｃ2、ｃ3のうちのそれぞれの量に用いられる値の数及び／又は値は、量ｄの異なる値によって決めることができる。
【００７０】
いくつかの実施形態において、ｄに用いられる使用可能な値は、｛０，１｝のうちの少なくとも１つ、又は｛1，(1/2)1/2，(1/4)1/2，0｝のうちの少なくとも１つであり得る。いくつかの実施形態において、量ｄに用いられる値が０である場合、量ｃ1、ｃ2、ｃ3のうちのそれぞれの量に用いられる値の数は１だけである。いくつかの実施形態において、量ｄに用いられる値が０である場合、ｃ1、ｃ2、ｃ3のうちいずれかの量に用いられる使用可能な値は１である。いくつかの実施形態において、量ｄに用いられる値が０でない場合、例えば量ｄに用いられる値が１である場合、量ｃ1、ｃ2、ｃ3のうちのそれぞれの量に用いられる値の数は、１より大きく、例えば２又は４又は８である。いくつかの実施形態において、量ｄに用いられる値が０でない場合、例えば量ｄに用いられる値が１であると、量ｃ1、ｃ2、ｃ3のうちのそれぞれの量に用いられる使用可能な値は、｛1，(1/2)1/2，(1/4)1/2，(1/8)1/2，(1/16)1/2，(1/32)1/2，(1/64)1/2，0｝のうちの少なくとも１つであるか、又は｛1，(1/2)1/2，(1/4)1/2，0｝のうちの少なくとも１つである。
【００７１】
いくつかの実施形態において、第１ビームの電力指標に用いられる量ｄの値及び第２ビームの電力比に用いられる量ｃ1、ｃ2、ｃ3のうちのそれぞれの量の値は、端末機器からネットワーク機器にレポートされなければならない。例えば、これらの値は、併せてエンコードするか、又は別々にエンコードすることができる。いくつかの実施形態において、量ｄのレポートに用いられるビットの数は、量ｃ1、ｃ2、ｃ3のうちのそれぞれの量のレポートに用いられるビットの数と異なってよい。例えば、量ｄのレポートに用いられるビットの数は、量ｃ1、ｃ2、ｃ3のうちのそれぞれの量のレポートに用いられるビットの数より小さくてよい。例えば、量ｄのレポートに用いられるビットの数は１であり得る。別の例示では、量ｃ1、ｃ2、ｃ3のそれぞれの量のレポートに用いられるビットの数は、２又は３又は４であり得る。
【００７２】
いくつかの実施形態において、量ｃ1、ｃ2、ｃ3  ｃのうちのそれぞれの量のレポートに用いられるビットの数は、量ｄのレポート値により決めることができる。いくつかの実施形態において、量ｄの異なるレポート値について、量ｃ1、ｃ2、ｃ3のうちのそれぞれの量のレポートに用いられるビットの数は異なっていてよい。いくつかの実施形態において、量ｄのレポート値が０であれば、量ｃ1、ｃ2、ｃ3のうちのいずれかのレポートは不要である可能性がある。別の実施形態では、量ｄのレポート値が０でない場合、例えば量ｄのレポート値が１であると、量ｃ1、ｃ2、ｃ3のそれぞれの量のレポートに用いられるビットの数は、２又は３又は４であり得る。
【００７３】
例えば、前記制御パラメータを用いると、ネットワーク機器１１０、１２０に用いられる提案するマルチＴＲＰコードブックの列は、以下のように記述することができる。
2021536155.tif 000018
ここで量ｖｌ，ｍはネットワーク機器１１０用のビームセットに関するベクトルであり、量ｖｌ’，ｍ’はネットワーク機器１２０用の別のビームセットに関するベクトルであり、パラメータコンビネーション（ｌ，ｍ）及び（ｌ’，ｍ’）はそれぞれ、２つの異なるビームのインデックスであるとみなすことができる。さらに量φn0、ap1、ap2、bn1、bn2は、ビームセット制御に用いられる各種パラメータである。これらの量のさらなる詳細については、バージョン１５の仕様において見出すことができる。
【００７４】
上述した内容と同様に、上部の２つの要素ｄｑｖｌ，ｍ及びｄｑφn0 ｖｌ，ｍはネットワーク機器１１０用のビームセットを表すことができ、下部の２つの要素ap1bn1ｖｌ’，ｍ’及びap2bn2ｖｌ’，ｍ’は、ネットワーク機器１２０用の別のビームセットを表すことができる。また、該例示では、電力パラメータｄｑが、ネットワーク機器１１０用の上部の２つの要素に含まれ得る。該電力パラメータｄｑは、ネットワーク機器１１０をイネーブル又はディセーブルにする。例えばｄｑ＝１の場合、ネットワーク機器１１０は、端末機器１３０により、端末機器１３０との通信をイネーブルにされる。ｄｑ＝０の場合、ネットワーク機器１１０は、端末機器１３０により、端末機器１３０との通信をディセーブルにされる。制御パラメータｄｑは、他のネットワーク機器用として含まれてもよい。
【００７５】
いくつかの実施形態では、異なるネットワーク機器用の電力パラメータと、動的なネットワーク機器の選択とを組み合わせることができる。言い換えると、上述した電力パラメータｃｑ及び制御パラメータｄｑの両方を、提案するマルチＴＲＰコードブックに含めることができる。例えば、ネットワーク機器１１０、１２０に用いられる提案するマルチＴＲＰコードブックにおいてｃｑ及びｄｑを含む列は、以下のように記述することができる。
2021536155.tif 000019
ここで量ｖｌ，ｍはネットワーク機器１１０用のビームセットに関するベクトルであり、量ｖｌ’，ｍ’はネットワーク機器１２０用の別のビームセットに関するベクトルであり、パラメータコンビネーション（ｌ，ｍ）及び（ｌ’，ｍ’）はそれぞれ、２つの異なるビームのインデックスであるとみなすことができる。さらに量φn0、ap1、ap2、bn1、bn2は、ビームセット制御に用いられる各種パラメータである。これらの量のさらなる詳細については、バージョン１５の仕様において見出すことができる。
【００７６】
いくつかの実施形態において、制御パラメータｄｑは０又は１であり得る。ｄｑ＝１の場合、関連するＣＳＩ−ＲＳを有するネットワーク機器が選択され、電力パラメータｃｑは｛1，(1/2)1/2，(1/4)1/2，(1/8)1/2，(1/16)1/2，(1/32)1/2，(1/64)1/2，0｝又は｛1，(1/2)1/2，(1/4)1/2，0｝又は｛０，１｝の集合から選択することができることを意味する。また、ｃｑ＝０の場合、関連するＣＳＩ−ＲＳを有するネットワーク機器が選択されていないことを意味する。ｄｑ＝０の場合、関連するＣＳＩ−ＲＳを有するネットワーク機器は選択されておらず、ｃｑは１のみがあり得ることを意味する。
【００７７】
いくつかの状況では、ネットワーク機器１１０、１２０及び端末機器１３０が、異なる通信シナリオについて異なるコードブックサイズを使用することが望ましい。異なるコードブックサイズをサポートする便利な方法は、デフォルトでは多くの要素を有する大きいコードブックを用い、小さいコードブックが有益なシナリオでは、コードブックサブセット制限を適用するというものである。コードブックサブセット制限を利用すると、コードブックにおけるプリコーディングマトリックスのサブセットが制限されるため、端末機器１３０は、可能なプリコーディングマトリックスの比較的小さいセットを有してその中から選択することになる。これにより、コードブックのサイズを効果的に小さくすることができ、これは、プリコーディングマトリックスの比較的小さい制限されていないセットにおいて最適なＰＭＩについての検索を行うことができるため、該特定の検索のための端末機器１３０の計算要件も削減されることを意味する。
【００７８】
典型的には、ネットワーク機器１１０、１２０のいずれか一方又は両方は、ビットマップにより端末機器１３０に信号を送信してコードブックサブセット制限を通知する。コードブックにおける各プリコーディングマトリックスは１ビットに対応し、このうち１は、プリコーディングマトリックスが制限されていることを示す（端末機器１３０が上述のプリコーディングマトリックスを選択し報告することは許されていないことを意味する）。したがって、Ｎ個の要素を有するコードブックについて、長さがＮであるビットマップが、コードブックサブセット制限を信号で通知するために用いられる。これによって、ネットワーク機器１１０、１２０は十分な柔軟性を有し、コードブックの可能な各サブセットを制限することが許される。
【００７９】
提案するマルチＴＲＰコードブックでは、コードブックの列における要素が、端末機器１３０と通信する複数のネットワーク機器についてのそれぞれのビームセットを示すため、コードブックサブセット制限の複数のセットを、単一コードブック用として提供することができ、つまり、提案するマルチＴＲＰコードブック内の異なるネットワーク機器に用いることができる。すなわち、マルチＴＲＰ送信では、異なるネットワーク機器からのビームが異なるため、コードブックサブセット制限の複数のセットを、提案するマルチＴＲＰコードブック用として設定することができる。
【００８０】
このような状況において、図１で説明した例示的シナリオでは、提案するマルチＴＲＰコードブックにおいてプリコーディングマトリックスを選択する際に、端末機器１３０はネットワーク機器１１０用のビームセットから、第１ビームサブセットを排除することができるとともに、ネットワーク機器１２０用のビームセットの中から、第２ビームサブセットを排除することができる。いくつかの実施形態において、第１ビームサブセットは第２ビームサブセットと異なっていてよい。他の実施形態では、第１及び第２ビームサブセットは同じであってよい。この方法により、異なるコードブックサブセット制限を、異なるネットワーク機器のそれぞれの通信の性質に基づき、異なるネットワーク機器についてのそれぞれのビームセットに適用することができる。
【００８１】
いくつかの実施形態において、端末機器１３０と通信する複数のネットワーク機器について、例えばネットワーク機器１１０、１２０について、１つ又は複数のビームコンビネーションを制限することができる。すなわち、複数のネットワーク機器について、いくつかのビームコンビネーションがサポートされない可能性がある。例えば、コードブックサブセット制限の複数のセットの組合せを、複数のネットワーク機器用に設定することができる。このような状況では、提案するマルチＴＲＰコードブックの中からプリコーディングマトリックスを選択する際、端末機器１３０は複数のネットワーク機器（例えばネットワーク機器１１０、１２０）用のそれぞれのビームの所定のビームコンビネーションを排除することができる。
【００８２】
代替として又は追加で、ビームインデックスのレポートは、複数のネットワーク機器のコンビネーションに基づくことができる。また、ビットフィールドはコードブックサブセット制限に基づくことができる。例えば、コードブックサブセット制限が１つのビームセットに適用される場合、コードブックサブセット制限についての１つのみ又はいくつかのオフセット値を、別のビームセットに適用することができる。この方法により、コードブックサブセット制限を送信するためのリソースを減らすことができる。
【００８３】
他の実施形態では、制限されるビームコンビネーションを、以下の方法で決定することができる。すなわち、１つのネットワーク機器用の第１ビームセットの中から第１ビームインデックスを決定し、１つ又は複数のオフセット値に基づき、他のネットワーク機器用の他のビームインデックスを決定する。例えば、図１で説明した例示的シナリオにおいて、「インデックス１」を有するビームがネットワーク機器１１０について制限されると、インデックスが「インデックス１＋オフセット」であるビームが、ネットワーク機器１２０について制限される。
【００８４】
このような状況では、提案するマルチＴＲＰコードブックの中からプリコーディングマトリックスを選択する際、端末機器１３０は複数のネットワーク機器のうち第１ネットワーク機器用の第１ビームインデックスを排除することができ、第１ビームインデックス及びオフセットに基づき、複数のネットワーク機器のうち第２ネットワーク機器用の第２ビームインデックスも排除することができる。該オフセットは第１ビームインデックスと第２ビームインデックスとのオフセットである。この方法でも、コードブックサブセット制限を送信するためのリソースを減らすことができる。
【００８５】
いくつかの実施形態において、提案するマルチＴＲＰコードブックの中からプリコーディングマトリックスを選択するために、端末機器１３０はまず、複数のネットワーク機器のうちのネットワーク機器（例えば、ネットワーク機器１１０）用のビームグループを決定し、その後、該ビームグループのうちの複数のビームを組み合わせて、ネットワーク機器用の組合せビームを形成することができる。言い換えると、ネットワーク機器１１０用の最終ビームは、該ビームグループのうち少なくとも２つのビームの組合せビームである。この方法により、複数のビームに由来する利点を有する組合せビームを、ネットワーク機器用に取得することができる。
【００８６】
いくつかの実施形態において、マルチＴＲＰ用のこのようなＴｙｐｅ  ＩＩ  コードブックでは、２つのレイヤのみをサポートをすることができ、２つのビームセット（各セットは２つのビームを有する）を選択することができる。２つのビームは各セット内で組み合わせられる。レイヤの特定の数は例示にすぎず、他の実施形態では、他の任意の適切な数のレイヤをサポートすることができることが理解されるはずである。
【００８７】
ブロック２３０では、端末機器１３０は複数のネットワーク機器のうち少なくとも１つのネットワーク機器に、プリコーディングマトリックス（ＰＭＩ）のインデックスを送信する。例えば、図１で説明した例示的シナリオでは、端末機器１３０はネットワーク機器１１０、１２０のうちいずれか一方又は両方に、ＰＭＩを送信することができる。ネットワーク機器１１０、１２０が２つのｇＮＢ／ＴＲＰで、且つＰＭＩがネットワーク機器１１０に送信される場合、ＰＭＩは、ネットワーク機器１１０とネットワーク機器１２０との間の通信リンクを介して、ネットワーク機器１１０からネットワーク機器１２０に送信することができる。
【００８８】
いくつかの実施形態において、複数のネットワーク機器用の複数のビームインデックスを含むプリコーディングマトリックスインデックスのレポートは、ブロードバンドである。他の実施形態においてレポートは狭帯域であってもよい。いくつかの実施形態では、提案するマルチＴＲＰコードブックにより、４個のポート、８個のポート、１６個のポート及び３２個のポートをサポートすることができる。理解すべき点として、ポートのこれらの特定の数は例示にすぎず、他の実施形態では他の任意の適切な数のポートをサポートすることができる。
【００８９】
いくつかの実施形態では、複数のネットワーク機器のうち１つのネットワーク機器用のビームインデックスがレポートされ、複数のネットワーク機器のうち別のネットワーク機器用の別のビームインデックスは、２つのビームインデックス間のオフセットに基づくことができる。例えば、端末機器１３０はネットワーク機器１１０用の第１ビームインデックスを送信することができ、さらに、第１ビームインデックスと、ネットワーク機器１２０用の第２ビームインデックスとのオフセットも送信することができる。この方法により、プリコーディングマトリックスインデックスをレポートするためのリソースを減らすことができる。
【００９０】
いくつかの実施形態において、プリコーディングマトリックスインデックスのレポートは２つのステップに分けることができる。第１ステップにおいて、複数のネットワーク機器について、ビームグループがレポートされる。第２ステップにおいて、該ビームグループからのビームインデックスがレポートされる。ビームインデックスは一対一で複数のネットワーク機器に用いられる。例えば、端末機器１３０はネットワーク機器１１０、１２０の両方に用いられるビームグループのグループインデックスを送信するとともに、該ビームグループのネットワーク機器１１０、１２０用のそれぞれのビームインデックスも送信することができる。この方法でも、プリコーディングマトリックスインデックスをレポートするためのリソースを減らすことができる。
【００９１】
図３は、本開示の実施形態を実現するのに適したデバイス３００の概略ブロック図である。デバイス３００は、図１に示す端末機器１３０の別の例示的実施形態であるとみなすことができる。したがって、デバイス３００は、端末機器１３０において実現することができ、又は端末機器１３０の少なくとも一部として実現することができる。
【００９２】
図に示すように、デバイス３００は、プロセッサ３１０、プロセッサ３１０に結合されるメモリ３２０、プロセッサ３１０に結合される適切な送信機（ＴＸ）及び受信機（ＲＸ）３４０、並びにＴＸ／ＲＸ３４０に結合される通信インタフェースを含む。メモリ３２０は、プログラム３３０の少なくとも一部を記憶する。ＴＸ／ＲＸ  ３４０は双方向通信に用いられる。ＴＸ／ＲＸ  ３４０は、通信を促進する少なくとも１つのアンテナを有し、実際には本願で述べたアクセスノードは、複数のアンテナを有することができる。通信インタフェースは、他のネットワーク部材と通信を行う際に必要な任意のインタフェース、例えば、ｅＮＢ間の双方向通信用のＸ２インタフェース、Ｍｏｂｉｌｉｔｙ  Ｍａｎａｇｅｍｅｎｔ  Ｅｎｔｉｔｙ（ＭＭＥ）／サービングゲートウェイ（Ｓ−ＧＷ）とｅＮＢとの間の通信用のＳ１インタフェース、ｅＮＢと中継ノード（ＲＮ）との間の通信用のＵｎインタフェース、又はｅＮＢと端末機器との間の通信用のＵｕインタフェースを表すことができる。
【００９３】
プログラム３３０がプログラム指令を含むと仮定すると、これらのプログラム指令が、関連するプロセッサ３１０により実行されると、これにより、デバイス３００は、本明細書で図２を参照して述べた本開示の実施形態に基づき操作を行うことができるようになる。本明細書の実施形態は、デバイス３００のプロセッサ３１０が実行可能なコンピュータソフトウェア、ハードウェア、又はソフトウェア及びハードウェアの組合せにより実現することができる。プロセッサ３１０は、本開示の各実施形態を実現するように設定することができる。また、プロセッサ３１０及びメモリ３２０の組合せは、本開示の各実施形態の実現に適合する処理手段３５０を構成することができる。
【００９４】
メモリ３２０は、ローカルの技術ネットワークに適した任意のタイプを有することができ、任意の適切なデータ記憶技術により実現することができる。例として、コンピュータが読み取り可能な非一時的記憶媒体、半導体による記憶デバイス、磁気記憶デバイス及びシステム、光学記憶デバイス及びシステム、固定メモリ及び取り外し可能メモリ等が挙げられるが、これらに限定されない。デバイス３００には１つのメモリ３２０しか示されていないが、デバイス３００には複数の物理上異なるメモリモジュールを設置することができる。プロセッサ３１０は、ローカルの技術ネットワークに適した任意のタイプを有することができ、例として、汎用コンピュータ、専用コンピュータ、マイクロプロセッサ、デジタル信号処理器（ＤＳＰ）、及びマルチコアプロセッサ構成に基づくプロセッサのうち、一つ又は複数を含むことができるが、これらに限定されない。デバイス３００は複数のプロセッサ、例えば、マスタープロセッサと同期するクロックに時間的に従属する特定用途向け集積回路チップを有することができる。
【００９５】
本開示の装置及び／又はデバイスに含まれるコンポーネントトは、ソフトウェア、ハードウェア、ファームウェア又はそれらの任意の組み合せを含む、各種方法で実現することができる。ある１つの実施形態において、一つ又は複数のユニットは、ソフトウェア及び／又はファームウェア（例えば記憶媒体に記憶されるデバイスが実行可能な指令）によって実現可能である。デバイスが実行可能な指令の他に、又は代替として、装置及び／又はデバイスの一部又は全部のユニットは、少なくとも部分的に一つ又は複数のハードウェアロジックコンポーネントによって実現可能である。例えば、使用可能なハードウェアロジックコンポーネントの例証的なタイプには、フィールドプログラマブルゲートアレイ（ＦＰＧＡ）、特定用途向け集積回路（ＡＳＩＣ）、特定用途向け汎用品（ＡＳＳＰ）、システム・オン・チップ（ＳＯＣ）、コンプレックス・プログラマブル・ロジックデバイス（ＣＰＬＤ）等が含まれるが、これらに限定されない。
【００９６】
通常、本開示の各実施形態は、ハードウェア若しくは専用回路、ソフトウェア、論理又はそれらの任意の組合せにより実現することができる。いくつかの態様はハードウェアによって実現し、他の態様はコントローラ、マイクロプロセッサ又は他のコンピュータデバイスが実行するファームウェア又はソフトウェアによって実現することができる。本開示の実施形態の各態様は図示され、且つブロック図、フローチャートとして説明され、又は他の何らかの図形によって示されたが、明白な点として、本明細書で説明したブロック、装置、システム、技術又は方法は、例えば、ハードウェア、ソフトウェア、ファームウェア、専用回路若しくは論理、汎用ハードウェア若しくはコントローラ若しくは他のコンピュータデバイス、又はそれらの組合せによって実現することができるが、これらに限定されない。
【００９７】
本開示はさらに、コンピュータが読み取り可能な非一時的記憶媒体に、有形記憶される少なくとも１つのコンピュータプログラム製品を提供する。コンピュータプログラム製品は、コンピュータが実行可能な指令、例えば、プログラムモジュールに含まれるコンピュータが実行可能な指令を含む。これらのコンピュータが実行可能な指令は、対象の現実のプロセッサ又は仮想プロセッサ上のデバイスにおいて実行されて、図３及び図４のいずれかを参照して上記で説明したプロセス又は方法を実行することができる。通常、プログラムモジュールは、特定のタスクを実行するか、又は特定の抽象データタイプを実現するルーチン、プログラム、ライブラリ、オブジェクト、クラス、コンポーネント、データ構造等を含む。プログラムモジュールの機能は、各実施形態での必要に応じて、プログラムモジュール間で組み合わせるか、又は分割することができる。プログラムモジュールに用いられるデバイスが実行可能な指令は、ローカルデバイス又は分散型デバイスにおいて実行することができる。分散型デバイスにおいて、プログラムモジュールはローカルの記憶媒体及びリモートの記憶媒体の両方に置くことができる。
【００９８】
本開示の方法を実行するためのプログラムコードは、一種類又は複数種類のプログラミング言語の任意の組み合せにより記述することができる。これらのプログラムコードは、汎用コンピュータ、専用コンピュータ又はその他のプログラム可能なデータ処理装置のプロセッサ又はコントローラに提供可能であり、これらプログラムコードがプロセッサ又はコントローラによって実行されると、フローチャート及び／又はブロック図に指定された機能／操作が実現される。プログラムコードは全てデバイス上で実行することができ、部分的にデバイス上で実行することもできる。独立したソフトウェアパッケージとしてデバイス上で部分的に実行するとともに、リモートのデバイス上で部分的に実行するか、又は全てリモートのデバイス若しくはサーバ上で実行することができる。
【００９９】
上述したプログラムコードは、デバイスが読み取り可能な媒体上で体現することができ、該デバイスで読み取り可能な媒体は、指令実行システム、装置若しくはデバイスに使用されるためのプログラム、又は、それらと関連して使用されるプログラムを含むか又は記憶することができる任意の有形媒体であり得る。デバイスで読み取り可能な媒体は、デバイスで読み取り可能な信号媒体又はデバイスで読み取り可能な記憶媒体であり得る。デバイスで読み取り可能な媒体は、電子、磁気、光学、電磁気、赤外線若しくは半導体のシステム、装置又はデバイス、又は前述の任意の適切な組み合せを含むことができるが、これらに限定されない。デバイスで読み取り可能な記憶媒体のさらに具体的な例には、一つ若しくは複数のケーブルの電気的接続、ポータブル・コンピュータ・ディスケット、ハードディスク、ランダムアクセスメモリ（ＲＡＭ）、リードオンリーメモリ（ＲＯＭ）、消去・書き込み可能なリードオンリーメモリ（ＥＰＲＯＭ又はフラッシュメモリ）、光ファイバ、携帯型コンパクトディスクリードオンリーメモリ（ＣＤ−ＲＯＭ）、光学的記憶装置、磁気記憶装置、又は上述の任意の適切な組み合せが含まれる。
【０１００】
なお、操作について、特定の順序で説明を行ったが、所望の結果を得るために、こうした操作は、示された特定の順序で実行するか若しくは連続した順序で実行し、又は、示された全ての操作を実行することが求められる、と理解されるべきではない。いくつかの状況では、複数のタスク及び並行処理が有利である可能性がある。同様に、上述の議論では、いくつかの具体的な実施形態の詳細が含まれるが、これらの詳細は本開示の範囲に対する制限であると解釈されるべきではなく、特定の実施形態に特有の特徴についての説明であると解釈されるべきである。別々の実施形態の文脈において説明したいくつかの特徴は、ある一つの実現形態において組み合わせて実現されてもよい。逆に、一つの実現形態の文脈において説明された各種特徴は、複数の実現形態において分けて、又は任意の適切なサブ的な組み合せにより、実現されてもよい。
【０１０１】
本開示について、構造的特徴及び／又は方法・動作に特有な言葉で説明したが、添付の請求項によって限定される本開示は、上述の特定の特徴又は動作に必然的に限定されるものではないことは、理解されるはずである。正確に言えば、上述の内容において説明した特定の特徴や動作は、請求項を実現する例示的形式として開示されたものである。
【図１】
2021536155.tif 000020
【図２】
2021536155.tif 000021
【図３】
2021536155.tif 000022
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
端末機器と通信する複数のネットワーク機器に関する下りリンクチャネル条件を測定することと、
前記下りリンクチャネル条件に基づき、コードブックの中からプリコーディングマトリックスを選択することと、
前記複数のネットワーク機器のうち少なくとも１つのネットワーク機器に、前記プリコーディングマトリックスのインデックスを送信することと
を備え、
前記コードブックの列における要素は、前記複数のネットワーク機器用のそれぞれのビームセットを表し、
前記プリコーディングマトリックスは、前記複数のネットワーク機器用のそれぞれのビームを示す、通信に用いられる方法。
【請求項２】
前記プリコーディングマトリックスの前記インデックスを送信することは、
前記複数のネットワーク機器のうちの第１ネットワーク機器用の第１ビームインデックスを送信することと、
前記第１ビームインデックスと、前記複数のネットワーク機器のうちの第２ネットワーク機器用の第２ビームインデックスとのオフセットを送信することと
を備える、請求項１に記載の方法。
【請求項３】
前記プリコーディングマトリックスの前記インデックスを送信することは、
ビームグループのグループインデックスを送信することと、
前記複数のネットワーク機器用の前記ビームグループのビームインデックスを送信することと
を備える、請求項１に記載の方法。
【請求項４】
前記コードブックの前記列における前記要素は、
参照ビームセットを表す第１要素と、
電力パラメータを備える第２要素と
を備え、
前記電力パラメータは、それぞれのビームセットに用いられる電力と、前記参照ビームセットに用いられる電力との比を表す、請求項１〜３のいずれか１項に記載の方法。
【請求項５】
前記コードブックの前記列における前記要素のうちの少なくとも１つの要素は、制御パラメータを備え、
前記制御パラメータは、前記複数のネットワーク機器のうちのそれぞれのネットワーク機器をイネーブル又はディセーブルにするために用いられる、請求項１〜３のいずれか１項に記載の方法。
【請求項６】
前記プリコーディングマトリックスを選択することは、
前記複数のネットワーク機器用の前記それぞれのビームセットのうちの第１ビームセットから第１ビームサブセットを排除することと、
前記複数のネットワーク機器用の前記それぞれのビームセットのうちの第２ビームセットから第２ビームサブセットを排除することと
を備える、請求項１〜５のいずれか１項に記載の方法。
【請求項７】
前記プリコーディングマトリックスを選択することは、
前記複数のネットワーク機器用のそれぞれのビームの所定のビームコンビネーションを排除することを備える、請求項１〜５のいずれか１項に記載の方法。
【請求項８】
前記プリコーディングマトリックスを選択することは、
前記複数のネットワーク機器のうちの第１ネットワーク機器用の第１ビームインデックスを排除することと、
前記第１ビームインデックス及びオフセットに基づき、前記複数のネットワーク機器のうちの第２ネットワーク機器用の第２ビームインデックスを排除することと
を備え、
前記オフセットは、前記第１ビームインデックスと、前記第２ビームインデックスとのオフセットである、請求項１〜５のいずれか１項に記載の方法。
【請求項９】
前記プリコーディングマトリックスを選択することは、
前記複数のネットワーク機器のうちのネットワーク機器用のビームグループを決定することと、
前記ビームグループのうちの複数のビームを組み合わせて、前記ネットワーク機器用の組合せビームを形成することと
を備える、請求項１〜５のいずれか１項に記載の方法。
【請求項１０】
プロセッサと、
指令を記憶するメモリと
を備える端末機器であって、
前記メモリ及び前記指令は、前記プロセッサと共に、前記端末機器に、
端末機器と通信する複数のネットワーク機器に関する下りリンクチャネル条件を測定させ、
前記下りリンクチャネル条件に基づき、コードブックの中からプリコーディングマトリックスを選択させ、
前記複数のネットワーク機器のうち少なくとも１つのネットワーク機器に、前記プリコーディングマトリックスのインデックスを送信させるように設定され、
前記コードブックの列における要素は、前記複数のネットワーク機器用のそれぞれのビームセットを表し、
前記プリコーディングマトリックスは、前記複数のネットワーク機器用のそれぞれのビームを示す、端末機器。
【請求項１１】
前記メモリ及び前記指令はさらに、前記プロセッサと共に、前記端末機器に、
前記複数のネットワーク機器のうちの第１ネットワーク機器用の第１ビームインデックスを送信させ、
前記第１ビームインデックスと、前記複数のネットワーク機器のうちの第２ネットワーク機器用の第２ビームインデックスとのオフセットを送信させるように設定される、請求項１０に記載の端末機器。
【請求項１２】
前記メモリ及び前記指令はさらに、前記プロセッサと共に、前記端末機器に、
ビームグループのグループインデックスを送信させ、
前記複数のネットワーク機器用の前記ビームグループのビームインデックスを送信させるように設定される、請求項１０に記載の端末機器。
【請求項１３】
前記コードブックの前記列における前記要素は、
参照ビームセットを表す第１要素と、
電力パラメータを備える第２要素と
を備え、
前記電力パラメータは、それぞれのビームセットに用いられる電力と、前記参照ビームセットに用いられる電力との比を表す、請求項１０〜１２のいずれか１項に記載の端末機器。
【請求項１４】
前記コードブックの前記列における前記要素のうちの少なくとも１つの要素は、制御パラメータを備え、
前記制御パラメータは、前記複数のネットワーク機器のうちのそれぞれのネットワーク機器をイネーブル又はディセーブルにするために用いられる、請求項１０〜１２のいずれか１項に記載の端末機器。
【請求項１５】
前記メモリ及び前記指令はさらに、前記プロセッサと共に、前記端末機器に、
前記複数のネットワーク機器用の前記それぞれのビームセットのうちの第１ビームセットから第１ビームサブセットを排除させ、
前記複数のネットワーク機器用の前記それぞれのビームセットのうちの第２ビームセットから第２ビームサブセットを排除させるように設定される、請求項１０〜１４のいずれか１項に記載の端末機器。
【請求項１６】
前記メモリ及び前記指令はさらに、前記プロセッサと共に、前記端末機器に、
前記複数のネットワーク機器用のそれぞれのビームの所定のビームコンビネーションを排除させるように設定される、請求項１０〜１４のいずれか１項に記載の端末機器。
【請求項１７】
前記メモリ及び前記指令はさらに、前記プロセッサと共に、前記端末機器に、
前記複数のネットワーク機器のうちの第１ネットワーク機器用の第１ビームインデックスを排除させ、
前記第１ビームインデックス及びオフセットに基づき、前記複数のネットワーク機器のうちの第２ネットワーク機器用の第２ビームインデックスを排除させるように設定され、
前記オフセットは、前記第１ビームインデックスと、前記第２ビームインデックスとのオフセットである、請求項１０〜１４のいずれか１項に記載の端末機器。
【請求項１８】
前記メモリ及び前記指令はさらに、前記プロセッサと共に、前記端末機器に、
前記複数のネットワーク機器のうちのネットワーク機器用のビームグループを決定させ、
前記ビームグループのうちの複数のビームを組み合わせて、前記ネットワーク機器用の組合せビームを形成させるように設定される、請求項１０〜１４のいずれか１項に記載の端末機器。
【請求項１９】
デバイスの少なくとも１つのプロセッサで実行された場合、前記デバイスに、請求項１〜９のいずれか１項に記載の方法を実行させるプログラム。
【手続補正３】
【補正対象書類名】明細書
【補正対象項目名】００１７
【補正方法】変更
【補正の内容】
【００１７】
すなわち、本開示の文脈では、送信／受信ポイント、基地局（ＢＳ）又はセルは、包括的概念であると解釈することができ、符号分割多元接続（ＣＤＭＡ）におけるｂａｓｅ  ｓｔａｔｉｏｎ  ｃｏｎｔｒｏｌｌｅｒ（ＢＳＣ）、ＷＣＤＭＡ（登録商標）におけるノードＢ、ＬＴＥにおけるｅＮＢ又はセクタ（サイト）、ＮＲにおけるｇＮＢ又はＴＲＰ等によってカバーされるエリア又は機能の一部を示す。したがって、送信／受信ポイント、基地局（ＢＳ）及び／又はセルの概念は、各種カバーエリア、例えばメガセル、マクロセル、ミクロセル、ピコセル、フェムトセル等を含むことができる。また、このような概念は中継ノード（ＲＮ）、リモート無線ヘッド（ＲＲＨ）又は無線ユニット（ＲＵ）の通信範囲を含むことができる。
【国際調査報告】
2021536155.tif 000023
2021536155.tif 000024